(57)【要約】      （修正有）【課題】油分、水分又はそれらを含むホコリ等で汚れやすい工場やその周辺への設置に好適であり、油分等を吸着して汚れ防止の機能を備えるマットを提供する。【解決手段】表面に面ファスナー１４を貼設したマット部材１２と、該マット部材１２に貼り剥がし自在に貼着した吸着シート１３とから構成され、該吸着シート１３は、２枚の不織布シートの間に吸着材を挟持して熱融着又は接着等の重合手段により形成した。【選択図】図２
0003159048.tif 000002
【実用新案登録請求の範囲】
【請求項１】
表面に面ファスナーを貼設したマット部材と、該マット部材に貼り剥がし自在に貼着した吸着シートとから構成され、
該吸着シートは、２枚の不織布シートの間に吸着材を挟持して熱融着又は接着等の重合手段により形成したこと
を特徴とするマット。
【請求項２】
前記マット部材は、天然ゴム材、合成ゴム材、又は合成樹脂材で形成されること
を特徴とする請求項１に記載のマット。
【請求項３】
前記吸着材は、パルプ材、吸水ポリエステル等の化学繊維材、天然繊維材、又は吸水ポリマー材で形成されること
を特徴とする請求項１に記載のマット。
【請求項４】
前記面ファスナーは、表面に雄型係合素子が形成されていること
を特徴とする請求項１に記載のマット。
【請求項５】
前記吸着シートは、少なくとも一方の面が白色又は黒色であること
を特徴とする請求項１に記載のマット。
【考案の詳細な説明】
【技術分野】
【０００１】
本考案は、マットに関するものであり、更に詳しくは、油分、水分又はそれらを含むホコリ等で汚れやすい工場やその周辺への設置に適しており、油分等を吸着して汚れ防止の機能を備えると共に、立ち仕事における疲労の軽減や冷え防止等の種々の機能を備えるマットに関するものである。
【背景技術】
【０００２】
従来のマットとしては、次のような構成のものが知られている。このマットは、多数のパイル糸を基布に差し込んでパイル地を形成し、このパイル地の裏面に接着剤を塗布してパイル糸を基布に固着すると共に、接着剤の塗布面に対してゴムシートを圧着した構成である（特許文献１参照）。
【０００３】
このような構成のマットは、業務用のレンタルマットとして使用され、利用者に貸与して一定期間が経過する毎に回収して洗浄処理が成され、利用者に再度貸与される。また、このマットは、主に屋内の出入口等に設置して、靴の裏に付着した土やホコリ等を吸着し、屋内への浸入を防止する目的で使用される。
【先行技術文献】
【特許文献】
【０００４】
【特許文献１】特開２０００−３５０６９６号公報
【考案の概要】
【考案が解決しようとする課題】
【０００５】
この従来例のマットにおいては、表面がパイル地で形成されるので、土やホコリの吸着には適するが、油分や水分を含むホコリの場合はパイル地に付着してベト付いてしまい吸着に適さない。つまり、従来例のマットは、屋内の出入口等に設置するためのものであって、油分や水分を含むホコリで汚れる工場へ設置することは考慮されていないという不都合がある。
【０００６】
また、工場では金属片等の鋭利な危険ゴミが散乱することが少なくない。この場合、従来例のマットを工場に設置したとすると、パイル地に金属片等が絡むこととなり、レンタルマットの回収時や洗浄時等に危険が伴うという問題点も有している。
【０００７】
更に、従来例のマットは、回収する度に洗浄処理が成されるが、洗浄には多量の水と洗剤が使用されるので不経済である。更に、洗浄は水資源を多量に消費すると共に、多量の洗剤等を含む排水が水質を汚染させて地球環境を破壊する原因になるという問題点も有している。
【０００８】
従って、従来例におけるマットにおいては、油分、水分を含むホコリや危険ゴミで汚れる工場等に設置できるようにすることと、使用後の処理が経済的に行えて、地球環境に優しいものであることとに解決しなければならない課題を有している。
【課題を解決するための手段】
【０００９】
前記従来例の課題を解決するための本考案の要旨は、表面に面ファスナーを貼設したマット部材と、該マット部材に貼り剥がし自在に貼着した吸着シートとから構成され、該吸着シートは、２枚の不織布シートの間に吸着材を挟持して熱融着又は接着等の重合手段により形成したことである。
【００１０】
また、前記マット部材は、天然ゴム材、合成ゴム材、又は合成樹脂材で形成されること、；
前記吸着材は、パルプ材、吸水ポリエステル等の化学繊維材、天然繊維材、又は吸水ポリマー材で形成されること、；
前記面ファスナーは、表面に雄型係合素子が形成されていること、；
前記吸着シートは、少なくとも一方の面が白色又は黒色であること、；
を含むものである。
【考案の効果】
【００１１】
本考案に係るマットによれば、吸着材を用いて吸着シートを形成しているので、油分や水分又はそれらを含むホコリの吸着が良好である。従って、油分等を含むホコリで汚れる工場やその周辺への設置に適している。
また、工場内外の出入口や通路又はその周辺だけでなく、油が飛散する機械の近傍への設置にも適している。この場合は、マット部材を厚めに形成することでクッション材の役目を果たすこととなり、機械の前の立ち仕事における疲労軽減や冷え防止等の機能を備える。
そして、吸着シートはマット部材に貼り剥がし自在に貼着できるので、汚れたときには新しい吸着シートに簡単に取り替えられる。従来例のようにマットを回収して洗浄しないので、金属片等の危険ゴミが付着していても処理に危険が伴わない。
汚れた吸着シートは可燃ゴミとして焼却処分が可能であり、従来例のように多量の水と洗剤を使用しないので経済的である。同様に、従来例のように水資源を消費せず、洗剤等を含む排水も出ないので地球環境に優しい。
更に、吸着シートは２枚の不織布シートの間に吸着材を挟持しているので、一方の面が汚れたら裏返して他方の面を上にして使用することも可能であるという種々の優れた効果を奏する。
【００１２】
マット部材は、天然ゴム材、合成ゴム材、又は合成樹脂材で形成されることによって、例えばローコスト用として天然ゴム材を使用したり、あるいは、耐油用として合成ゴム材を使用する等、様々な使用条件に応じて種々の材質を選択できるという優れた効果を奏する。
【００１３】
吸着材は、パルプ材、吸水ポリエステル等の化学繊維材、天然繊維材、又は吸水ポリマー材で形成されることによって、吸収量、吸収性、又は難燃性等の様々な必要条件に応じて種々の材質を選択できるという優れた効果を奏する。
【００１４】
面ファスナーは、表面に雄型係合素子が形成されていることによって、不織布シートの繊維との係合が良好である。つまり、マット部材の面ファスナーに吸着シートの不織布シートが貼り剥がし自在に貼着できるという優れた効果を奏する。
【００１５】
吸着シートは、少なくとも一方の面が白色又は黒色であることによって、白色の吸着シートを用いると汚れが目立つので、吸着シートの交換時期が一目で確認できる。また、黒色の吸着シートを用いると汚れが目立たないので、不潔感が軽減されるという優れた効果を奏する。
【図面の簡単な説明】
【００１６】
【図１】本考案に係るマット１１の斜視図である。
【図２】マット部材１２と吸着シート１３とを分離して示した斜視図である。
【図３】吸着シート１３を分離して拡大して示した縦断面図である。
【考案を実施するための形態】
【００１７】
次に、本考案の実施の形態について図面を参照しながら説明する。まず、図１及び図２において、符号１１はマットを示し、このマット１１は、所要大きさのマット部材１２と、このマット部材１２に対して貼り剥がし自在に貼着される吸着シート１３とから構成される。
【００１８】
マット部材１２は、図２に示すように、矩形状に形成されており、設置する様々な場所の広さに対応できるように、数種類の大きさのものを予め準備しておくことが望ましい。また、場合によっては、正方形状、多角形状、円形状、又は楕円形状等の様々な形状のマット部材であってもよい。
【００１９】
また、マット部材１２は、天然ゴム材、合成ゴム材、又は合成樹脂材で形成される。この場合は、ローコスト用として天然ゴム材を使用したり、あるいは、耐油用として合成ゴム材を使用する等、様々な使用条件に応じて種々の材質を選択して使用することが望ましい。
【００２０】
マット部材１２は厚さは、設置面との段差を少なくするために薄めに形成するのがよい。しかし、立ち仕事を行う機械の前に設置する場合は、厚めのマット部材１２を用いることが望ましく、この場合には、マット部材１２がクッション材の役目を果たすこととなり、立ち仕事における疲労の軽減や冷え防止等の効果がある。
【００２１】
マット部材１２の表面の縁部に沿った位置及び適宜位置には、面ファスナー１４が縫着又は接着等の適宜の固着手段で設けられている。この面ファスナー１４は、適宜の幅に形成されていると共に、その表面には雄型係合素子（図示せず）が形成されている。従って、後述する吸着シート１３の不織布シート１５の繊維と良好に係合する。
【００２２】
吸着シート１３は、図３に示すように、マット部材１２の大きさと略同形状に形成される。また、吸着シート１３は、２枚の不織布シート１５、１５の間に吸着材１６を挟持して熱融着又は接着等の重合手段により形成される。
【００２３】
また、吸着シート１３は、白色又は黒色であることが望ましい。吸着シート１３が白色の場合は、汚れが目立つので交換時期が一目で確認できるという利点があり、吸着シート１３が黒色の場合は、汚れが目立たないので不潔感が軽減されるという利点がある。即ち、設置場所に応じて適宜に色を変更すればよい。
【００２４】
不織布シート１５は、難燃性、吸収性、ケバの長さ、厚み、強度等、様々な使用条件に応じて種々の不織布シート１５を選択して使用することが望ましい。
【００２５】
不織布は、繊維を織らずに絡み合わせたシート状のものであり、上述のように、不織布シート１５の繊維が、面ファスナー１４の雄型係合素子と良好に係合する。従って、マット部材１２の面ファスナー１４に吸着シート１３の不織布シート１５が貼り剥がし自在に貼着できることとなる。
【００２６】
吸着材１６は、パルプ材、吸水ポリエステル等の化学繊維材、天然繊維材、又は吸水ポリマー材で形成される。パルプ材の場合は繊維が油分や水分又はそれらを含むホコリ等を良好に吸着する効果がある。その他、吸収量、吸収性、又は難燃性等の様々な必要条件に応じて種々の材質を選択して使用することが望ましい。
【００２７】
このような構成のマット１１は、吸着シート１３がマット部材１２に貼り剥がし自在に貼着できるので、汚れたときには新しい吸着シート１３に簡単に取り替えられる。
汚れた吸着シート１３は可燃ゴミとして焼却処分が可能であり、従来例のように多量の水と洗剤を使用しないので経済的であり、また、水資源を消費せず、洗剤等を含む排水も出ないので地球環境に優しい。
そして、吸着シート１３は２枚の不織布シート１５の間に吸着材１６を挟持しているので、一方の面が汚れたら裏返して他方の面を上にして使用することも可能である。
【００２８】
次に、以上のような構成のマット１１の使用方法について説明する。本考案に係るマット１１は、油分や水分又はそれらを含むホコリ等の吸着が良好であるので、油分を含むホコリ等で汚れる工場、及び工場内外の出入口や通路、その周辺への設置に適している。
更には、油が飛散する機械の前への設置も適しており、この場合は、マット部材１２を厚めに形成することでクッション材の役目を果たし、立ち仕事における疲労の軽減や、冷え防止等の効果もある。
【符号の説明】
【００２９】
１１  マット
１２  マット部材
１３  吸着シート
１４  面ファスナー
１５  不織布シート
１６  吸着材
【図１】
0003159048.tif 000003
【図２】
0003159048.tif 000004
【図３】
0003159048.tif 000005